(57)【要約】  【課題】  洗面器や浴槽において手すりとして機能する水栓を提供すること。  【解決手段】  水および／または湯を水栓本体３に設けた吐水口１１から吐出するよう構成された水栓１において、水栓本体３を筒状で、かつ、外形ほぼＵ字形状またはコ字形状に形成して手すりに兼用させている。【選択図】      図１
2006322260.tif 000002
【特許請求の範囲】
【請求項１】
水および／または湯を水栓本体に設けた吐水口から吐出するよう構成された水栓において、水栓本体を筒状で、かつ、外形ほぼＵ字形状またはコ字形状に形成して手すりに兼用させたことを特徴とする水栓。
【請求項２】
水および／または湯を水栓本体に設けた吐水口から吐出するよう構成された水栓において、水栓本体を筒状で、かつ、外形ほぼＣ字形状に形成して手すりに兼用させたことを特徴とする水栓。
【請求項３】
水および／または湯を水栓本体に設けた吐水口から吐出するよう構成された水栓において、水栓本体を筒状で、かつ、外形ほぼＶ字形状に形成して手すりに兼用させたことを特徴とする水栓。
【発明の詳細な説明】
【技術分野】
【０００１】
この発明は、水栓に関するものである。
【背景技術】
【０００２】
例えばトイレ等に設置される洗面器には、左右に設けた一対の湯用の流量調整ハンドルおよび水用の流量調整ハンドルを操作することにより、水栓本体内の湯水混合室から水栓本体の吐水口を介して湯水を吐出するよう構成された湯水混合水栓が用いられている。また、図１３に示す立水栓１５のような単水栓や、利用者が手を差し延べるだけで吐水する自動水栓も洗面器１６に用いられている。
【０００３】
一方、下記特許文献１に示すように、本出願人は、例えば浴室の洗い場に設置される水栓本体を手すりに兼用させた手すり型水栓を提案している。これにより、浴室内での動作を補助でき、また、洗い場側の壁に新たに手すりを設ける必要がなくなり、洗い場のスペースを有効に活用できるとともに、手すりに体が当たるといった事態も回避できバリアフリーとしても有効である。
【０００４】
【特許文献１】特開２００３−５６０２１号公報
【発明の開示】
【発明が解決しようとする課題】
【０００５】
ところで、トイレ等に設置される洗面器の周囲には手洗い等の洗面動作を補助する目的で専用の手すりが設置されているものがあるが、洗面器自体に手すりは設けられていない。また、浴室の浴槽側の壁に浴槽の出入りの動作を補助するために手すりが設けられているものがあるが、バリアフリーの観点から新たに手すりを設けることなく浴槽の出入りの動作を補助できることが望まれる。
【０００６】
この発明は、上述の事柄に留意してなされたもので、その目的は、洗面器や浴槽において手すりとして機能する水栓を提供することである。
【課題を解決するための手段】
【０００７】
上記目的を達成するために、この発明の水栓は、水および／または湯を水栓本体に設けた吐水口から吐出するよう構成された水栓において、水栓本体を筒状で、かつ、外形ほぼＵ字形状またはコ字形状に形成して手すりに兼用させたことを特徴としている（請求項１）。
【０００８】
また、この発明の水栓は、水および／または湯を水栓本体に設けた吐水口から吐出するよう構成された水栓において、水栓本体を筒状で、かつ、外形ほぼＣ字形状に形成して手すりに兼用させたことを特徴としている（請求項２）。
【０００９】
さらに、この発明の水栓は、水および／または湯を水栓本体に設けた吐水口から吐出するよう構成された水栓において、水栓本体を筒状で、かつ、外形ほぼＶ字形状に形成して手すりに兼用させたことを特徴としている（請求項３）。
【発明の効果】
【００１０】
この発明では、水および／または湯を水栓本体に設けた吐水口から吐出するよう構成された水栓において、水栓本体を筒状に形成するとともに、水栓本体の外形を、ほぼＵ字形状またはコ字形状、ほぼＣ字形状、ほぼＶ字形状に形成して手すりに兼用させている。すなわち、この発明の水栓を、例えばトイレ等に設置される洗面器に用いる水栓に適用すると、手すりの機能を有することにより、洗面器の周囲に新たに手すりを設ける必要性を少なくでき、バリアフリーとしても有効であるとともに、従来の湯水混合水栓に用いられる直線状の水栓本体の外形に比べて、また、単水栓や自動水栓に比べて斬新な外観形状を有し、デザイン的にも優れており、見栄えがする。
【００１１】
また、この発明の水栓を、例えば浴槽側に設置される水栓に適用すると、手すりの機能を有することにより、浴槽側の壁に新たに手すりを設ける必要性を少なくでき、バリアフリーとしても有効であるとともに、水栓本体の外形を、ほぼＵ字形状またはコ字形状、ほぼＣ字形状、ほぼＶ字形状に形成したので、従来の湯水混合水栓に用いられる直線状の水栓本体の外形に比べて斬新な外観形状を有し、デザイン的にも優れており、見栄えがする。
【発明を実施するための最良の形態】
【００１２】
以下、この発明の実施の形態を、図を参照しながら説明する。なお、それによってこの発明は限定されるものではない。
【００１３】
図１〜図５は、洗面器に設置されるこの発明の第１の実施例を示す。
図１〜図５において、１は、トイレ等に設置される洗面器２に用いる湯水混合水栓である。この湯水混合水栓１の水栓本体３は、洗面器２の洗面ボール２ａにおける壁面Ｗ側の取り付け面部４の中央に垂直状態で取り付けられている。水栓本体３は、筒状で、正面視ほぼＵ字形状に形成してあり、手洗い等の洗面動作を補助する手すりとしても使用されるよう構成されている。
【００１４】
すなわち、水栓本体３は、内部に湯水混合室４が形成される把持部５と、Ｘ−Ｙ平面に沿う左右の方向（両矢印Ａで示す方向）に手動操作される止水・吐水・流量調整用の操作部材６ａ，７ａが設けられるとともに、この操作部材６ａ，７ａの前記Ａ方向への回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。この実施例の湯水混合水栓１は、いわゆるツーバルブ型の水栓であり、例えば操作部材６ａは湯配管から導入される湯の止水・吐水・流量調整を行う部材であり、操作部材７ａは水配管から導入される水の止水・吐水・流量調整を行う部材である。そして、脚部６，７が取り付け面部４の上面から壁面Ｗの高さ方向（両矢印Ｚで示す方向）に沿って垂直状態で取り付けられ、この脚部６，７を介して取り付け面部４の上方で壁面Ｗの横方向（両矢印Ｘで示す方向）に沿うよう把持部５が位置している。把持部５は脚部６，７よりも長く設定されている。この実施例では把持部５は断面円形の外管５ａと内部に湯水混合室４が形成される断面円形の内管５ｂ（図４参照）の二重管構造を有し、両者５ａ，５ｂ間に、湯水混合室４の湯水や湯配管からの熱湯によって把持部５表面の外管５ａが熱くなるのを防止する断熱隙間Ｓが形成されている。８は湯配管と脚部６を接続する継手、９は水配管と脚部７を接続する継手である。１０は座金である。１１は水栓本体３に設けた筒状の吐水口で、把持部５の正面中央位置において開口が正面を向く形で湯水混合室４に連通するよう設けられている。すなわち、吐水口１１の上流部は、断熱隙間Ｓを介して内管５ｂに設けた穴部と外管５ａに設けた穴部にシール可能に嵌め込まれ、下流部は外管５ａの正面から水平状態で水栓本体３の長手方向（Ｘ方向）とは直角な方向（Ｙ方向）で正面側に所定長さＬだけ突出している。吐水口１１の前記突出長さＬは人が把持部５をつかむのに支障がない程度の長さに設定されている。前記突出長さＬがあまりに長ければ人は吐水口１１をつかむおそれがある。
【００１５】
さらに、前記操作部材６ａおよび７ａは、左右同形で、それぞれ、Ｚ軸まわりに回動するリング部ａと、このリング部ａから径方向外側にＭだけ突出した操作部ｂとよりなる。この操作部ｂは、人の手の指が挿入可能な開口１２を有する扇型の外形形状に形成されている。そのため、例えば右手の指を開口１２に挿入しながら手のひらを操作部材６ａ，７ａにあてがうだけで、手の握力や手の指に力のない高齢者等でも操作部材６ａ，７ａをＡ方向に容易に手動操作できる。
【００１６】
また、水栓本体３を手すりとしてより効果的に機能させるために把持部５の外管５ａの外表面に環状のスベリ止め部材（図示せず）を設けるのが好ましい。そして、外管５ａの外表面を覆うよう設けたスベリ止め部材を、これに柔軟性を持たせるため、シリコン系のゴム材や軟質塩化ビニール等の樹脂よりなる半硬質部材で構成するのが好ましい。なお、前記樹脂に抗菌剤を添加することにより、雑菌の繁殖を防ぐことができる。また、前記スベリ止め部材で覆われた水栓本体３の前記把持部５の外管５ａの握り径（外径）ｒは、規格に合った例えば３４ｍｍに設定され、しっかり握れるよう構成されている。
【００１７】
図６は、洗面器２の洗面ボール２ａが位置する壁面Ｗに設置したこの発明の第２の実施例を示す。なお、図６において、図１〜図５に示す符号と同一のものは同一または相当物である。
図６において、湯水混合水栓１の水栓本体３は、洗面器２の洗面ボール２ａが位置する壁面Ｗに水平状態で取り付けられている。水栓本体３は、筒状で、平面視ほぼＵ字形状に形成してあり、手洗い等の洗面動作を補助する手すりとしても使用されるよう構成されている。
すなわち、水栓本体３は、内部に湯水混合室が形成される把持部５と、Ｘ−Ｚ平面に沿う上下の方向（両矢印Ａ’で示す方向）に手動操作される止水・吐水・流量調整用の操作部材６ａ，７ａが設けられるとともに、この操作部材６ａ，７ａの前記Ａ’方向への回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。そして、壁面Ｗと直角な方向（両矢印Ｙで示す方向）に水平状態で脚部６，７が壁面Ｗに取り付けられ、この脚部６，７を介して壁面Ｗ手前側で、かつ、Ｘ方向に沿う形で把持部５が位置している。把持部５は脚部６，７よりも長く設定されている。この実施例では把持部５は断面円形の外管５ａと内部に湯水混合室が形成される断面円形の内管の二重管構造を有し、外管５ａ、内管間に、湯水混合室の湯水や湯配管からの熱湯によって把持部５表面の外管５ａが熱くなるのを防止する断熱隙間が形成されている。    
【００１８】
また、水栓本体３に設けた筒状の吐水口１１は、把持部５の正面中央位置の底部において開口が下を向く形で前記湯水混合室に連通するよう設けられている。すなわち、吐水口１１の上流部は、前記断熱隙間を介して前記内管に設けた穴部と外管５ａに設けた穴部にシール可能に嵌め込まれ、下流部は外管５ａの底部から垂直状態で水栓本体３の長手方向（Ｘ方向）とは直角な方向（Ｚ方向）に所定長さＬだけ下方に突出している。
【００１９】
図７、図８は、洗面器２の洗面ボール２ａが位置する壁面Ｗに設置したこの発明の第３の実施例を示す。なお、図７、図８において、図１〜図６に示す符号と同一のものは同一または相当物である。
図７、図８において、湯水混合水栓１の水栓本体３は、洗面器２の洗面ボール２ａが位置する壁面Ｗに水平状態で取り付けられている。水栓本体３は、筒状で、平面視ほぼＣ字形状に形成してあり、手洗い等の洗面動作を補助する手すりとしても使用されるよう構成されている。水栓本体３は、内部に湯水混合室４が形成される把持部５と、手動操作されるリング状の止水・吐水・流量調整用の操作部材６ａ’，７ａ’が設けられるとともに、この操作部材６ａ’，７ａ’の回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。
【００２０】
前記操作部材６ａ’，７ａ’は、左右同形である。操作部材６ａ’，７ａ’は、上記第２の実施例で用いたリング部ａと同一の幅を有し、回動可能なリング体よりなる。このリング体６ａ’，７ａ’の表面には、リング体６ａ’，７ａ’をまわし易くするための突起１３が円周方向に適宜間隔を有して複数個形成されている。また、水栓本体３に設けた筒状の吐水口１１は、把持部５の正面中央位置の底部において開口が下を向く形で前記湯水混合室に連通するよう設けられている。
【００２１】
図９は、洗面器２の洗面ボール２ａにおける壁面Ｗ側の取り付け面部に設置したこの発明の第４の実施例を示す。なお、図９において、図１〜図８に示す符号と同一のものは同一または相当物である。
【００２２】
図９において、湯水混合水栓１の水栓本体３は、洗面器２の洗面ボール２ａにおける壁面Ｗ側の取り付け面部４の中央に垂直状態で取り付けられている。水栓本体３は、筒状で、正面視ほぼＣ字形状に形成してあり、手洗い等の洗面動作を補助する手すりとしても使用されるよう構成されている。水栓本体３は、内部に湯水混合室が形成される把持部５と、手動操作されるリング状の止水・吐水・流量調整用の操作部材６ａ’，７ａ’が設けられるとともに、この操作部材６ａ’，７ａ’の回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。
【００２３】
水栓本体３に設けた筒状の吐水口１１は、把持部５の正面中央位置において開口が正面を向く形で湯水混合室に連通するよう設けられている。
【００２４】
図１０、図１１は、洗面器２の洗面ボール２ａが位置する壁面Ｗに設置したこの発明の第５の実施例を示す。なお、図１０、図１１において、図１〜図９に示す符号と同一のものは同一または相当物である。
【００２５】
図１０、図１１において、湯水混合水栓１の水栓本体３は、洗面器２の洗面ボール２ａが位置する壁面Ｗに水平状態で取り付けられている。水栓本体３は、筒状で、平面視ほぼＶ字形状に形成してあり、手洗い等の洗面動作を補助する手すりとしても使用されるよう構成されている。水栓本体３は、内部に湯水混合室４が形成されるＶ字形状の把持部５と、手動操作されるリング状の止水・吐水・流量調整用の操作部材６ａ’’，７ａ’’が設けられるとともに、この操作部材６ａ’’，７ａ’’の回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。
【００２６】
前記操作部材６ａ’’，７ａ’’は、左右同形で、それぞれ、上記第３の実施例で用いたリング体６ａ’，７ａ’よりも幅広で回動可能な円筒状のリング体よりなる。そして、この円筒状のリング体（以下、操作部材という）６ａ’’および７ａ’’の表面には、それぞれ、操作部材６ａ’’および７ａ’’の幅方向（両矢印Ｅ，Ｅ’で示す方向）における中央位置に円周方向に沿う形で適宜間隔をおいて複数の突起１３が形成されるとともに、Ｅ方向およびＥ’方向に形成されたセレーション１４が、適宜間隔をおいて円周方向に複数形成されている。この突起１３およびセレーション１４により操作部材６ａ’’，７ａ’’をまわし易くできる。また、水栓本体３に設けた筒状の吐水口１１は、把持部５の正面中央位置の底部、すなわち、Ｖ字形状の頂点位置の底部において開口が下を向く形で湯水混合室４に連通するよう設けられている。
【００２７】
図１２は、洗面器２の洗面ボール２ａにおける壁面Ｗ側の取り付け面部４に設置したこの発明の第６の実施例を示す。なお、図１２において、図１〜図１１に示す符号と同一のものは同一または相当物である。
【００２８】
図１２において、湯水混合水栓１の水栓本体３は、洗面器２の洗面ボール２ａにおける壁面Ｗ側の取り付け面部４の中央に垂直状態で取り付けられている。水栓本体３は、筒状で、正面視ほぼＶ字形状に形成してあり、手洗い等の洗面動作を補助する手すりとしても使用されるよう構成されている。水栓本体３は、内部に湯水混合室が形成される把持部５と、手動操作される円筒状の止水・吐水・流量調整用の操作部材６ａ’’，７ａ’’が設けられるとともに、この円筒状の操作部材６ａ’’，７ａ’’の回動操作によって弁体が弁座に当接したり、弁体が弁座から離間したりして止水・吐水ならびに配管からの湯および水の流量調整を行うバルブ（図示せず）が収容された左右一対の脚部６，７とから主として構成される。
【００２９】
前記水栓本体３に設けた筒状の吐水口１１は、把持部５の正面中央位置、すなわち、Ｖ字形状の頂点位置において開口が正面を向く形で湯水混合室に連通するよう設けられている。
【００３０】
なお、第１，２の実施例において、操作部材６ａ，７ａの代わりに操作部材６ａ’，７ａ’あるいは操作部材６ａ’’，７ａ’’を用いてもよい。
また、第３，４の実施例において、操作部材６ａ’，７ａ’の代わりに操作部材６ａ，７ａあるいは操作部材６ａ’’，７ａ’’を用いてもよい。
また、第５，６の実施例において、操作部材６ａ’’，７ａ’’の代わりに操作部材６ａ，７ａあるいは操作部材６ａ’，７ａ’を用いてもよい。
また、この発明では、水栓本体を、筒状で、かつ、外形ほぼコ字形状に形成して手すりに兼用させてもよい。
【００３１】
以上、上記各実施例では湯水混合水栓１について説明したが、この発明は水だけを水栓本体に設けた吐水口から吐出するよう構成した、いわゆる、単水栓にも適用できる。また、上記各実施例において設けている、湯配管に連通する水栓本体３の湯導入口をめくら栓などの閉塞部材で閉塞してもよい。
【００３２】
また、この発明は、例えば被検知物を検知するセンサ部と、通水流路の開閉を制御可能とする電磁弁と、センサ部によって被検知物を検知したときに電磁弁を電気的に制御することで自動的に吐水を行う制御部とを備えた自動水栓や、水の勢いで水車をまわして発電機を回転させる小型の水力発電部を備えた自動水栓にも適用できる。
【００３３】
また、上記各実施例では洗面器２に用いる湯水混合水栓１について説明したが、この発明は例えば浴室内に設置される水栓にも適用できる。
【００３４】
また、上記各実施例では上述したように、ツーバルブ型の湯水混合水栓１について説明したが、この発明は、一端に水、湯、または湯水混合水の吐出状態と止水状態を切り替えるとともに、流量調整を行うための切替ハンドルが設けられる一方、他端に湯水混合水の温度調節を行うための温調ハンドルが設けられている水栓本体を備えた、いわゆるサーモ型湯水混合水栓（上記特許文献１参照）にも適用できる。この場合、水栓本体は外管と内管の二重管構造を有し、外管および内管間に、切替ハンドル側から温調ハンドル側に水を導入する環状の水導入路が形成される。そして、この環状の水導入路によって、水栓本体の外管が、湯水混合水、水、または、湯を供給する供給流路と断熱され、熱くなることはない。
【図面の簡単な説明】
【００３５】
【図１】この発明の第１の実施例における使用状態を示す斜視図である。
【図２】上記実施例を示す平面図である。
【図３】上記実施例を示す底面図である。
【図４】上記実施例を示す背面側からみた構成説明図である。
【図５】上記実施例を示す正面図である。
【図６】この発明の第２の実施例における使用状態を示す斜視図である。
【図７】この発明の第３の実施例における使用状態を示す斜視図である。
【図８】上記第３の実施例を示す底面側からみた構成説明図である。
【図９】この発明の第４の実施例における使用状態を示す斜視図である。
【図１０】この発明の第５の実施例における使用状態を示す斜視図である。
【図１１】上記第５の実施例を示す底面側からみた構成説明図である。
【図１２】この発明の第６の実施例における使用状態を示す斜視図である。
【図１３】洗面器を示す斜視図である。
【符号の説明】
【００３６】
１          湯水混合水栓
３          外形ほぼＵ字形状またはコ字形状の水栓本体
１１        吐水口
【図１】
2006322260.tif 000003
【図２】
2006322260.tif 000004
【図３】
2006322260.tif 000005
【図４】
2006322260.tif 000006
【図５】
2006322260.tif 000007
【図６】
2006322260.tif 000008
【図７】
2006322260.tif 000009
【図８】
2006322260.tif 000010
【図９】
2006322260.tif 000011
【図１０】
2006322260.tif 000012
【図１１】
2006322260.tif 000013
【図１２】
2006322260.tif 000014
【図１３】
2006322260.tif 000015